(57)【特許請求の範囲】
【請求項１】
吊り部材を介して躯体天井部に開口側を側方に向けて支持される複数のＣ字状又はコ字状の野縁受けと、開口側を上方に向けてその両側面の上端が内方に折曲された野縁折曲片を有する複数の野縁とを、１組の野縁取付金具を介して取り付けする天井下地において、
前記野縁取付金具は、野縁受けの側面又は開口側に面当てされる野縁受け取付け部と、該野縁受け取付け部の上方に延出されて野縁受けの上面側に立上り形成される固定用の立上り片と、下方に延出形成される垂下部に、前記野縁折曲片の裏面側に挿入して野縁を支持受けする野縁支持受け部とを一体に備え、前記立上り片同士を対面当接させてネジ止固定することで野縁を吊持するよう構成されると共に、
前記組となる野縁取付金具は、野縁受けの側面側に配設される野縁受け側面側取付金具と、野縁受けの開口側に配設される野縁受け開口側取付金具とからなり、
該野縁受け開口側取付金具の野縁受け取付け部には、その両側から野縁受けの上下開口幅と略同幅の長さを有して、野縁受けの開口内に挿入するよう折曲された野縁受け補強片を形成し、
該野縁受け開口側取付金具は、野縁受けの開口内に挿入せしめた前記野縁受け補強片によって、野縁受けの開口側上下面に対する内方への圧縮振動負荷をその上下端で受け止め規制せしめる一方、
前記野縁受け側面側取付金具と野縁受け開口側取付金具とを、それぞれの野縁受け取付け部同士を通しネジにより締め付け固定し、野縁受けに挟持せしめることで、野縁受けを耐震補強すべく構成してあることを特徴とする野縁取付金具。
【請求項２】
請求項１において、前記野縁受け補強片は、Ｃ字状のリップ溝型材を用いた野縁受けに対しては、その上下面からそれぞれ開口側に折曲形成されたリップ片間に挿入される長さを有し、コ字状のチャンネル材を用いた野縁受けに対しては、その上下面間に挿入される長さを有して形成されていることを特徴とする野縁取付金具。
【請求項３】
請求項１または２において、前記立上り片には、その両側２個所にネジ孔を穿設し、該立上り片同士を前記２個所のネジ孔を介してネジ固定してあることを特徴とする野縁取付金具。
【請求項４】
請求項１乃至３の何れかに記載の野縁取付金具を用いて施工された天井下地において、前記野縁支持受け部によって支持受けされた野縁の支持受け構造を耐震補強部材によって耐震補強するに、
前記耐震補強部材は、野縁受けの横幅と略同幅の長さを有して、野縁受けの開口側と側面側を下面側から被嵌するよう、上向きコ字状に切欠きされた野縁受け被嵌溝部と、該野縁受け被嵌溝部の両側に延出して、野縁の側面に面当てされてネジ固定される野縁固定部とを有して板状体にて形成され、
前記野縁受け被嵌溝部を、野縁受けの下面側から被嵌した状態で、前記野縁固定部を野縁の側面に面当てしてネジ固定することで、前記野縁支持受け部に支持受けされた野縁を位置ズレ規制することを特徴とする野縁の耐震補強構造。
【請求項５】
請求項４において、前記耐震補強部材は、野縁の両側面に設けられていることを特徴とする野縁の耐震補強構造。
【請求項６】
請求項４または５において、前記野縁固定部は、野縁の開口内に挿入された前記垂下部に近接した位置にネジが位置するように固定されていることを特徴とする野縁の耐震補強構造。
【発明の詳細な説明】
【技術分野】
【０００１】
本発明は、天井下地において、野縁受けを両側から組みとして挟持することで、野縁を取り付けする野縁取付金具、および当該野縁の耐震補強構造に関する。
【背景技術】
【０００２】
一般に、在来天井は、吊り部材（吊りボルト、吊りワイヤ等）を介して躯体天井部に支持される複数のＣ字状のリップ溝型材（又は、コ字状チャンネル材）を用いた野縁受けと、開口側を上方に向けて一組の野縁取付金具を介して野縁受けに取り付けされる複数のＣ字状のリップ溝型材（又は、上端内方に逆Ｕ字状溝を有したコ字状チャンネル材）を用いた野縁と、野縁にネジ（ボルト、ビスを含む）止めされる天井パネルとから構成される。
【０００３】
従来の天井下地に用いられる野縁取付金具は、指圧変形不能な板厚が約１．２〜１．６ｍｍの厚板材でプレス成型され、野縁受けに取り付けられるネジ固定用の立上り片を有する逆Ｌ字状の野縁受け取付け部と、下方に延出形成される垂下部に、野縁折曲片の裏面側に挿入して野縁を支持受けする野縁支持受け部とにより一体形成されたものを１組のセット金具として、野縁受けに両側から挟み込ませて対面する立上り片同士をボルト止め等により固定して野縁を吊持する構造となっており、野縁支持受け部も野縁受けの下面域側（内側）または野縁受けに背反する側（外側）に、任意に折曲形成した両側２カ所で野縁を支持受けすることで、所定の吊持強度やジョイント強度、耐震強度が得られる（特許文献１の図２、特許文献２の図１参照）。
【０００４】
ところで、この様な天井下地の構造においては、野縁受けの下面側と野縁の開口側が直接接触した状態で施工され、また、野縁受けの側面側に配設される野縁取付金具は、野縁受け取付け部が野縁受けの側面にネジ固定され、立上り片の締結ボルトとの上下２個所により支持固定されるが、野縁受けの開口側に配設されたものは締結ボルトによる１個所による支持固定となり、縁受けの開口側が上下方向へ圧縮されるような振動負荷を野縁受け取付け部のみで受けこととなる。このため、地震等により揺れを受けた際、野縁の長手方向への振り子状の傾動やねじれなどを伴って、野縁受けの開口側が上下方向（内方）へ圧縮（狭圧）されるような振動負荷を受けて変形を生じたり、野縁支持受け部と野縁折曲片との間の滑りを生じるなどにより、野縁と野縁受けとの間にガタツキが発生して、両者間に位置ズレを誘発してしまうという問題があり、殊に、野縁受けの開口側においては、野縁受け取付け部（垂下部）が変形して、対向する野縁支持受け部同士が離間して開いてしまうなどの要因も加わって、野縁受け取付け部が野縁受けの側面にネジ固定された側に比し、耐震強度の性能が劣るという問題がある。
【０００５】
そこで、対向する野縁支持受け部（野縁支持片）同士が開いてしまうことを防止するため、特許文献１に開示されたものように、野縁支持片としての係止部（１１）間に固定基板（６）を配設して、係止部（１１）に穿設した窓孔部（１４）を介して、固定基板（６）に折曲形成したストッパー片（１３）を挿入係止することで、係止部（１１）同士の開きを防止している。しかしながら、このものは、窓孔部（１４）と係止部（１１）とが遊挿されており、かつ、野縁に予めネジ固定した固定基板（６）上に野縁受けを載置する構成であるため、野縁と野縁受けとが固定基板（６）の厚さ分だけ離間した状態で、野縁の長手方向への振り子状の傾動やねじれなどの振動負荷が加わると、野縁受け（３）と野縁（５）に同じ板厚のリップ溝型材が用いられており、この様な組合せにおいては野縁受け（３）の開口側が変形を生じやすく、しかも、軸芯位置が一致するネジの固定位置を中心にかえって揺れが大きく作用し、野縁受けの開口側が固定基板（６）と野縁とによる圧縮負荷を受けて変形が誘発され、固定基板（６）と野縁受けとの間に滑りやガタツキが発生してしまうという問題がある。
【０００６】
また、特許文献２に開示されたものでは、補強フランジ部（３８）を有する野縁の係合突起（３２）を、野縁受けの下面域側（内側）に向けて折曲させて野縁を支持受けし、垂直基板部（３１）の一方に折曲形成したネジ止め突片（３４）を、野縁の側面にネジ固定するようにして、クリップ（３）が野縁から外れて落下してしまうことを防止している。また、コ字状チャンネル材の野縁受け（１）に比し板厚の薄い逆Ｕ字状溝を有したコ字状チャンネル材の野縁（５）が用いられており、この様な組合せにおいては野縁（５）が変形を生じやすい。しかしながら、このものは、その構造上、逆Ｕ字状溝内に挿入される係合突起（３２）が野縁受け（１）の下面側で支持受けし、かつ、垂直基板部（３１）が片面のみにしか形成することができず、殊に、垂直基板部（３１）が形成されていない側に、野縁（５）の長手方向への振り子状の傾動やねじれなどの振動負荷が加わると、野縁受け（１）の開口側が補強フランジ部（３８）と野縁（５）の逆Ｕ字状溝との両者によって圧縮負荷を受けることとなり、変形が誘発され野縁と野縁受けとの間に滑りやガタツキが発生してしまうという問題がある。
【先行技術文献】
【特許文献】
【０００７】
【特許文献１】特開２０１３−０２３８５５号公報
【特許文献２】特開２０１３−１００７０４４号公報
【発明の開示】
【発明が解決しようとする課題】
【０００８】
本発明は、上記の如き問題点を一掃すべく創案されたものであって、野縁受けの開口側に配設される野縁取付金具であっても、野縁取付金具自体のねじれや湾曲変形に対する剛性強度を高めることができ、地震等により、野縁受けの開口側が上下方向へ圧縮されるような振動負荷を受けた際に、その湾曲変形を防止して野縁受けを耐震補強することができる結果、対向する野縁受け取付け部同士を通しネジにより締め付け固定して野縁受けに挟持組付けすることが可能となり、その開きを防止することができる野縁取付金具を提供することを目的とする。
【課題を解決するための手段】
【０００９】
上記課題を解決するために本発明の野縁取付金具は、吊り部材を介して躯体天井部に開口側を側方に向けて支持される複数のＣ字状又はコ字状の野縁受けと、開口側を上方に向けてその両側面の上端が内方に折曲された野縁折曲片を有する複数の野縁とを、１組の野縁取付金具を介して取り付けする天井下地において、前記野縁取付金具は、野縁受けの側面又は開口側に面当てされる野縁受け取付け部と、該野縁受け取付け部の上方に延出されて野縁受けの上面側に立上り形成される固定用の立上り片と、下方に延出形成される垂下部に、前記野縁折曲片の裏面側に挿入して野縁を支持受けする野縁支持受け部とを一体に備え、前記立上り片同士を対面当接させてボルト止め等により固定することで野縁を吊持するよう構成されると共に、前記組となる野縁取付金具は、野縁受けの側面側に配設される野縁受け側面側取付金具と、野縁受けの開口側に配設される野縁受け開口側取付金具とからなり、該野縁受け開口側取付金具の野縁受け取付け部には、その両側から野縁受けの上下開口幅と略同幅の長さを有して、野縁受けの開口内に挿入するよう折曲された野縁受け補強片を形成し、該野縁受け開口側取付金具は、野縁受けの開口内に挿入せしめた前記野縁受け補強片によって、野縁受けの開口側上下面に対する内方への圧縮振動負荷をその上下端で受け止め規制せしめる一方、前記野縁受け側面側取付金具と野縁受け開口側取付金具とを、それぞれの野縁受け取付け部同士を通しネジにより締め付け固定し、野縁受けに挟持せしめることで、野縁受けを耐震補強すべく構成してあることを特徴とするものである。
【発明の効果】
【００１０】
本発明は、上記のように構成したことにより、天井下地における野縁受けに、その両側から一組の野縁取付金具を挟み込んで野縁を吊持するものでありながら、野縁受けの開口側に配設される野縁取付金具であっても、野縁受け取付け部に折曲形成された野縁受け補強片によって、野縁取付金具自体が補強され、ねじれや湾曲変形に対する剛性強度を高めることができると共に、地震等の揺れで水平方向やねじれ、傾斜方向の振動を受けた際に、野縁受けの開口側が上下方向へ圧縮されるような振動負荷を受けても、野縁受けの開口内に挿入された野縁受け補強片が、野縁受けの開口側上下面に対する内方への圧縮振動負荷を、その上下端で確りと受け止め支持する支持受け片として機能し、その湾曲変形を確実に防止して野縁受けを耐震補強することができ、野縁と野縁受けとの間のガタツキや野縁取付金具などの位置ズレを防止することができる。更に、対向する野縁受け取付け部同士を、通しネジを挿通して締め付け固定してあるので、野縁受け開口側取付金具を野縁受けの開口側に引き寄せした圧接状態で、野縁受けに確りと挟持固定させることができ、締め付け過ぎや振動による野縁受け開口側取付金具（縁受け取付け部）の変形に対する剛性強度が高められ、両取付金具同士を野縁受けに確りと挟持させ、野縁受けに対する野縁支持受け部の離間や開き、滑りなどを規制して組付け剛性や耐震強度を高めることが可能となり、野縁受け補強片との共同耐震作用により、野縁支持受け部同士の振動による滑りや離間開きがより強固に防止されて、通しネジによる両者の締め付け挟持状態を長期に渡って保持することができる。
【図面の簡単な説明】
【００１１】
【図１】本発明の実施形態に係る天井下地の概略全体説明面図である。
【図２】本発明の実施形態に係る組みとなる野縁取付金具であって、（Ａ）は野縁受け開口側取付金具の正面図、（Ｂ）はその側面図、（Ｃ）は野縁受け側面側取付金具の正面図、（Ｄ）はその側面図である。
【図３】本発明の実施形態に係る組みとして用いられる野縁受け開口側取付金具と野縁受け側面側取付金具の配置態様を示す斜視図である。
【図４】本発明の実施形態に係る野縁取付金具に並設される耐震補強部材であって、（Ａ）は正面図、（Ｂ）は平面図、（Ｃ）は側面図、（Ｄ）はＡ−Ａ断面図である。
【図５】野縁取付金具と耐震補強部材を天井下地への取付け状態を示し、（Ａ）は正面図、（Ｂ）は立上り片の他の固定手段を示す部分正面図である。
【図６】野縁取付金具と耐震補強部材を天井下地への取付け状態を示し、（Ａ）は側面図、（Ｂ）は立上り片の他の固定手段を示す部分側面図である。
【発明を実施するための最良の形態】
【００１２】
以下、本発明の実施の形態を好適な実施の形態として例示する野縁取付金具を図面に基づいて詳細に説明する。
図１は、本発明の実施形態に係る天井下地の概略全体説明図である。この図に示す天井下地には、躯体天井部１から所定の間隔を存して垂下される複数の吊りボルト２と、これら吊りボルト２間に野縁受けハンガー３１を介して吊りボルト２の下端部に支持される野縁受け３（天井下地材）と、躯体天井部１と野縁受け３との間で吊りボルト２に振れ止め固定金具４１を介して水平状に架設される振れ止め４（天井下地材）と、野縁受け３に野縁取付金具６を介して取り付けられる野縁５と、該野縁取付金具６と共に併用されて野縁５にネジ固定される耐震補強部材７と、野縁５にネジ固定される天井パネル８が含まれている。
【００１３】
野縁受け３は、板厚規格が約１．２ｍｍまたは１．６ｍｍの厚板材で形成された側方が開口するリップ片３ａ、３ａを有したＣ字状のリップ溝型材（又は、コ字状チャンネル材）からなり、天井部に所定の間隔を存して並列状に割り付けされ、野縁受けハンガー３１によって支持されると共に、吊りボルト２の先端部に取付けされる野縁受けハンガー３１の位置変更によって、上下位置が調整される。このとき、野縁受け３は、図示しない躯体壁部に当接しない短めの長さに予め加工され、その両端部が野縁受け固定金具を介して躯体壁部に固定される。
【００１４】
野縁５は、その板厚規格が約１．２ｍｍまたは１．６ｍｍの厚板材によって、開口側を上方に向けてその両側面の上端が内方に折曲形成された逆Ｌ字状の野縁折曲片５１、５１（リップ片）を有するＣ字状のリップ溝型材、又は、約０．５ｍｍの薄板材によって、開口側両側部の上端が内方に折曲形成された逆Ｕ字溝状の野縁折曲片５１を有するチャンネル材であり、野縁受け３がリップ溝型材である場合には同じリップ溝型材が用いられ、コ字状チャンネル材である場合には薄板チャンネル材が用いられて、野縁受け３と直交するように、天井部１に所定の間隔を存して並列状に割り付けされる。野縁５としては、幅寸法が異なるダブル野縁やシングル野縁があり、それぞれに適合した形状の野縁取付金具６を介して野縁受け３で支持される。そして、天井部１に割り付けられた野縁５間に天井パネル８を渡し、これをネジ止めすることにより、天井下地が構成される。
【００１５】
振れ止め固定金具４１は、中央の吊りボルト２への吊りボルト固定部と、その両側に振れ止め４への被嵌固定部を有して側面視略コ字状に形成されている。
振れ止め４は、側方が開口するＣ字状のリップ溝型材（又は、コ字状チャンネル材）からなり、吊りボルト２の間隔を維持するために複数の吊りボルト２…間に水平状に架設される梁タイプとなっている。そして、振れ止め固定金具４１を、吊りボルト２と振れ止め４とを同時に被嵌することで両者が組付け固定される。
【００１６】
次に、本発明の実施態様に係る野縁取付金具について、図２、図３を参照して説明する。図２の（Ａ）は、野縁受け開口側取付金具の正面図、（Ｂ）はその側面図、（Ｃ）は、野縁受け側面側取付金具の正面図、（Ｄ）はその側面図、図３は、組みとして用いられる野縁受け開口側取付金具と野縁受け側面側取付金具の配置態様を示す斜視図である。
これらの図に示すように、野縁取付金具６は、野縁受け開口側取付金具６ａと野縁受け側面側取付金具６ｂとを組みとして用いられ、それぞれ板厚が１．６ｍｍの厚板材を用い、野縁受け３の側面に面当てされる野縁受け取付け部６１と、この野縁受け取付け部６１の上方に、側面視略Ｌ字状（またはく字状）に延出折曲されて野縁受け３の上面や上角部に圧接状に係止される係止部６１ａを介して、野縁受け３の上面側に立上り形成されるボルト止め等により固定される立上り片６２と、下方に延出形成される垂下部６１ｂの下端部両側に、逆Ｌ字状の野縁折曲片５１の裏面側に挿入して野縁５を支持受けするよう内方に折曲形成された一対の野縁支持受け部６３、６３とを備えて、全体をプレス成型により一体に形成される。
【００１７】
野縁受け取付け部６１は、立上り片６２から垂下部６１ｂ側に向けて矩形状に形成され、野縁折曲片５１、５１間に位置する両側部分が略コ字状に切欠きされており、略中央に穿設された野縁受け３に通しネジ（ドリルビスや連結ボルト）９ｂにより固定するためのネジ孔６１ｃと、垂下部６１ｂのネジ孔６１ｃの下部側に野縁５内に挿入される部分にかけて、野縁支持受け部６３側に向けて背反するＬ字状にプレス成型された一対の補強リブ６１ｄ、６１ｄが設けられている。
また、野縁支持受け部６３は、野縁受け３の下面側（内側）で対面するよう垂下部６１ｂの両側端からＬ字状に折曲形成されており、野縁５内に挿入して野縁折曲片５１の裏面側に、そのＬ字状の上端を線当接させて支持受けするように構成される。
【００１８】
野縁受け開口側取付金具６ａの立上り片６２には、その中央にボルト挿通孔６２ａと、このボルト挿通孔６２ａの両側にネジ孔６２１、６２１がそれぞれ穿設されており、野縁受け取付け部６１には、その両側から野縁受け３の上下開口幅と略同幅の長さを有して、野縁受け３の開口内に挿入するよう折曲された野縁受け補強片６４が形成されている。なお、本実施形態における野縁受け取付け部６１は、Ｃ字状のリップ溝型材を用いた野縁受け３に対し、その上下面からそれぞれ開口側に折曲形成されたリップ片３ａ、３ａ間に挿入される長さを有して形成されており、コ字状のチャンネル材が用いられた野縁受け３に用いる場合には、その上下面間に挿入される長さを有して形成すれば良い。なお、野縁受け補強片６４は、野縁受け３の開口側上下面に対する内方への圧縮振動負荷をその上下端や上下片で受け止め規制できる形状であれば良く、種々の形状に変更できることは勿論である。
野縁受け側面側取付金具６ｂの立上り片６２には、その中央にバーリングによるタップ穴加工されたナット部６２ｂが設けられており、このボルト挿通孔６２ａの両側にドリルネジ９ａのネジ山が係止する径のネジ孔６２１、６２１が穿設されている。
【００１９】
次に、本発明の実施態様に係る野縁取付金具６に並設される耐震補強部材７を図４の（Ａ）〜（Ｄ）に基づいて詳細に説明する。耐震補強部材７は、野縁支持受け部６３によって支持受けされた野縁５の支持受け構造を耐震補強するための部材であり、野縁受け３の横幅と略同幅の長さを有して、野縁受け３の開口側となる下側リップ片３ａ側と側面側を下面側から被嵌するよう、その上半部の中央面域に上向きコ字状に切欠きされた野縁受け被嵌溝部７１と、該野縁受け被嵌溝部７１の両側に延出して、野縁５の側面に面当てされてネジ固定される野縁固定部７２とを有して、全体が凹状の板状体にて形成される。野縁固定部７２には、野縁受け被嵌溝部７１の下部面にプレス成型された補強リブ７２ａが設けられており、その両側の任意位置に野縁５にドリルネジ９ｃにより固定するためのネジ孔７２ｂ、７２ｂが穿設されている。なお、本実施例におけるネジ孔７２ｂの穿設位置は、ドリルネジ９ｃなどを螺入した際に、そのネジ山が垂下部６１ｂの補強リブ６１ｄに近接または接触するように配設されており、野縁受け取付け部６１（野縁支持受け部６３）同士の振動による滑りや離間（拡開）規制に寄与し、ガタツキや位置ズレ、変形の発生を防止できるようになっている。
【００２０】
また、次に、本発明の実施態様に係る野縁取付金具６の取付手順について、図５、図６を参照して説明する。図５は野縁取付金具６と耐震補強部材７を天井下地への取付け状態を示す正面図、図５（Ｂ）は立上り片６２の他の固定手段を示す部分正面図であり、図６（Ａ）は図５の側面図、図６（Ｂ）は図５（Ｂ）の部分側面図である。これらの図に示すように、先ず、野縁受け開口側取付金具６ａと野縁受け側面側取付金具６ｂを、それぞれ野縁受け３の開口側と側面側の近傍位置で、野縁支持受け部６３を野縁５の長手方向に向けて野縁５の上側開口から内部に挿入して回転させ、野縁受け３の下面に位置する野縁折曲片５１の裏面に当接させ、係止部６１ａを野縁受け３の上面に面接させた状態で、上り片６２、６２の同士を対向面接させてセットする。
【００２１】
次いで、両取付金具６ａと６ｂを手で保持した状態で、締結ボルト９をボルト挿通孔６２ａを介してナット部６２ｂに螺入操作することで、立上り片６２、６２の上端同士を当接させた状態で仮固定する。係止部６１ａは、内方に僅かに傾斜した状態で折曲形成され、立上り片６２も同様に内方に僅かに傾斜した状態となっており、この仮固定状態では、立上り片６２の上端同士が僅かなハ字状隙間を存して当接し、立上り片６２と係止部６１ａの角部が野縁受け３の上面に当接された状態でセットされる。この状態から更に締結ボルト９を締め付け操作していくと、立上り片６２、６２同士が僅かに変形しつつ圧着され、この圧着操作に追随して、係止部６１ａの角部側が野縁受け３の上面に押圧（圧接）されながら、両取付金具６ａと６ｂが僅かに上動して野縁支持受け部６３の上端が野縁折曲片５１の裏面に圧接係止されて、野縁受け３を両側から挟み込んで野縁５を吊持する固定がなされる。
【００２２】
その際、野縁受け開口側取付金具６ａは、上側リップ片３ａに野縁受け補強片６４の上端が当接（僅かな間隙交差を有しても良い）する。次いで、従来のもののでは、野縁受け側面側取付金具６ｂをネジ孔６１ｃを介して短尺のドリルビスによりビス固定することで本固定状態がなされるのであるが、この様な固定方法を採用すると、野縁受け開口側取付金具６ａは、締結ボルト９による１点による支持固定となり、かつ、野縁受け３の開口側が上下方向へ圧縮されるような振動負荷を野縁受け取付け部６１のみで受けるため、締結ボルト９との２点により支持固定された野縁受け側面側取付金具６ｂに比して、その下方となる野縁支持受け部６３側の支持受けに対する組付け耐震強度の性能が劣り、滑りやガタツキ、変形などを生じ易いという問題が生じる。ところが本発明における野縁受け開口側取付金具６ａには、野縁受け補強片６４が形成されているので、対向する両垂下部６１ｂ、６１ｂのネジ孔６１ｃ、６１ｃ同士を介して通しネジ９ｂ（ドリルビスや締結ボルト）を挿通し、両者を締め付け固定しても、締め付け過ぎや振動による縁受け取付け部６１（垂下部６１ｂ）が挫屈等の変形を生じることが無く、両取付金具６ａと６ｂ（野縁支持受け部６３と６３）同士を野縁受け３に確りと挟持させ、両者の離間や開きを規制して組付け剛性や耐震強度が高めることが可能となる。
【００２３】
また、締結ボルト９に換えて、図５（Ｂ）、図６（Ｂ）に示す如く、立上り片６２に所定間隔を存して穿設された２個所のネジ孔６２１、６２１に、ドリルネジ９ａ、９ａを用いてネジ固定するようにしても良い。この様に立上り片６２の所定間隔を存して両側２個所にネジ固定することにより、野縁受け３の長手方向に揺れを受けた際に、締結ボルト９を中心に回動方向への力が加わり、回転ズレによる締結ボルト９の緩みなどを生じてしまうことが回避され、野縁受け補強片６４による野縁５の長手方向やねじれ、傾斜方向に対する耐震補強機能との共同作用により、野縁５と野縁受け３との間にガタツキや、両者間の位置ズレの発生の防止機能に対して更なる向上を図ることができる。
【００２４】
さらに、本実施例においては、この様に野縁支持受け部６３によって支持受けされた野縁５の支持受け構造を耐震補強するために耐震補強部材７が並設される。耐震補強部材７を取り付けするには、先ず、野縁受け被嵌溝部７１を野縁受け３の下面側に被嵌させた状態で、野縁５の側面に面当てして、ネジ孔７２ｂ、７２ｂを介してネジ固定すれば取付作業が完了する。野縁受け被嵌溝部７１は野縁５の両側面にそれぞれ配置固定されている。
この様に耐震補強部材７を並設すると、野縁受け補強片６４の耐震共同作用により、ねじれ方向を含む振動負荷をしっかりと受け止め、直交して直接面当て配設された野縁５と野縁受け３同士、および野縁５と野縁支持受け部６３同士の振動による滑りや離間、ガタツキ、位置ズレを確実に防止して、野縁５と野縁受け３との直交する密着状態を長期に亘って維持し、天井下地全体の耐震強度を向上させすることができる。
【００２５】
叙述の如く構成された本発明の実施の形態において、いま、天井下地の施工において、野縁５を一組の野縁取付金具６（６ａ、６ｂ）を介して野縁受け３に取り付けるのであるが、本発明にかかる野縁取付金具６は、野縁受け３の側面又は開口側に面当てされる野縁受け取付け部６１と、野縁受け取付け部６１の上方に延出されて野縁受け３の上面側に立上り形成される固定用の立上り片６２と、下方に延出形成される垂下部６１ｂに、野縁折曲片５１の裏面側に挿入して野縁５を支持受けする野縁支持受け部６３とを一体に備え、立上り片６２、６２同士を対面当接させてボルト止め等により固定することで野縁５を吊持するよう構成されると共に、組となる野縁取付金具６は、野縁受け３の側面側に配設される野縁受け側面側取付金具６ｂと、野縁受け３の開口側に配設される野縁受け開口側取付金具６ａとからなり、該野縁受け開口側取付金具６ａの野縁受け取付け部６１には、その両側から野縁受け３の上下開口幅と略同幅の長さを有して、野縁受け３の開口内に挿入するよう折曲された野縁受け補強片６４を形成し、該野縁受け開口側取付金具６ａは、野縁受け３の開口内に挿入せしめた野縁受け補強片６４によって、野縁受け３の開口側上下面に対する内方への圧縮振動負荷をその上下端で受け止め規制せしめる一方、野縁受け側面側取付金具６ｂと野縁受け開口側取付金具６ａとを、それぞれの野縁受け取付け部６１、６１同士を通しネジ９ｂにより締め付け固定し、野縁受け３に挟持せしめることで、野縁受け３を耐震補強すべく構成されている。
【００２６】
この様に構成すると、天井下地における野縁受け３に、その両側から一組の野縁取付金具６を挟み込んで野縁５を吊持するものでありながら、野縁受け側面側取付金具６ｂに比して、その下方となる野縁支持受け部６３側の支持受けに対する組付け耐震強度の性能が劣り、滑りやガタツキ、変形などを生じ易い野縁受け開口側取付金具６ａであっても、野縁受け取付け部６１に折曲形成された野縁受け補強片６４によって、野縁受け開口側取付金具６ａ自体が補強され、ねじれや湾曲変形に対する剛性強度を高めることができる。
したがって、地震等の揺れで水平方向やねじれ、傾斜方向の振動を受けた際に、野縁受け３の開口側が上下方向へ圧縮されるような振動負荷を受けても、野縁受け３の開口内に挿入された野縁受け補強片６４が、野縁受け３の開口側上下面に対する内方への圧縮振動負荷を、その上下端で確りと受け止め支持する支持受け片として機能し、その湾曲変形を確実に防止して野縁受け３を耐震補強することができ、野縁５と野縁受け３との間のガタツキや野縁取付金具６などの位置ズレを防止することができる。
【００２７】
更に、対向する両者のネジ孔６１ｃ、６１ｃ同士を通しネジ９ｂで締め付け固定してあるので、野縁受け開口側取付金具６ａを野縁受け３の開口側に引き寄せした圧接状態で、野縁受け３に確りと挟持固定させることができ、締め付け過ぎや振動による縁受け取付け部６１の変形に対する剛性強度が高められ、両取付金具６ａと６ｂ同士を野縁受け３に確りと挟持させ、両者の離間開きを規制して組付け剛性や耐震強度が高めることが可能となり、野縁受け補強片６４との共同耐震作用により、野縁支持受け部６３、６３同士の振動による滑りや離間開きがより強固に防止されて、野縁受け取付け部６１（垂下部６１ｂ）が圧縮振動負荷により湾曲変形などを生じることが回避され、通しネジによる両者の締め付け挟持状態を長期に渡って保持することができる。
しかも、この様に野縁支持受け部６３、６３によって支持受けされた野縁５の支持受け構造を耐震補強部材７によって耐震補強するにあたり、耐震補強部材７は、既に、野縁受け開口側取付金具６ａ自体が補強され、圧縮振動負荷を受ける野縁受け３の開口側における湾曲変形の防止や、通しネジ９ｂによる野縁支持受け部６３、６３同士の振動による離間開きの防止が図られた支持受け構造に採用されるので、直交して直接面当て配設された野縁５と野縁受け３同士、および野縁５と野縁支持受け部６３同士の振動による滑りや、ガタツキ、位置ズレを防止して直角度を維持できる機能に特化した、所謂、野縁受け被嵌溝部７１を有した凹状の板材であればよく、極めて簡易な構成のものとして製作することができる。
【００２８】
また、野縁受け側面側取付金具６ｂと野縁受け開口側取付金具６ａとは、それぞれの野縁受け取付け部６１、６１同士を通しネジ９ｂにより締め付け固定させて、野縁受け３に挟持してあるので、野縁受け側面側取付金具６ｂの野縁受け取付け部６１（垂下部６１ｂ）は、野縁受け３の側面にネジ固定された密着状態で、野縁受け補強片６４、６４によって補強された野縁受け取付け部６１に螺入された通しネジ９ｂにより、野縁受け開口側取付金具６ａを野縁受け３の開口側（本実施例ではリップ片３ａ、３ａ側）に引き寄せした圧接状態で締め付け固定することができ、両取付金具６ａと６ｂ同士を野縁受け３に確りと挟持させ、両者の離間開きを規制して組付け剛性や耐震強度が高めることができるだけでなく、締め付け過ぎや振動による縁受け取付け部６１（垂下部６１ｂ）の挫屈等の変形を生じることも回避できる。
【００２９】
また、立上り片６２には、その両側２個所にネジ孔６２１、６２１を穿設し、該立上り片６２、６２同士を前記２個所のネジ孔６２１、６２１を介してドリルネジ９ａ、９ａにてネジ固定してあるので、野縁受け３の長手方向に揺れを受けた際に、立上り片６２の中心を締結ボルト９によりネジ固定したものに比し、締結ボルト９を中心に回動方向への力が加わり、締結ボルト９の如くの回転ズレにより緩みなどを生じてしまうことが回避され、野縁受け３の長手方向への振動負荷に対しても耐震性に対する組付け剛性強度を高める補強ができ、野縁５の長手方向やねじれ、傾斜方向に対する耐震機能との共同作用により、野縁５と野縁受け３との間にガタツキや、両者間の位置ズレの発生の防止機能に対して更なる向上を図ることができる。
【００３０】
また、本発明にかかる野縁取付金具６を用いて施工された天井下地において、野縁支持受け部６３によって支持受けされた野縁５の支持受け構造を耐震補強部材７によって耐震補強するに、耐震補強部材７は、野縁受け３の横幅と略同幅の長さを有して、野縁受け３の開口側と側面側を下面側から被嵌するよう、上向きコ字状に切欠きされた野縁受け被嵌溝部７１と、該野縁受け被嵌溝部７１の両側に延出して、野縁５の側面に面当てされてネジ固定される野縁固定部７２とを有して板状体にて形成され、野縁受け被嵌溝部７１を、野縁受け３の下面側から被嵌した状態で、野縁固定部７２を野縁５の側面に面当てしてネジ固定することで、野縁支持受け部６３に支持受けされた野縁５を位置ズレ規制することで野縁５の耐震補強構造を構築している。
【００３１】
この様に野縁取付金具６と共に用いられる耐震補強部材７は、既に、野縁受け開口側取付金具６ａ自体が補強され、圧縮振動負荷を受ける野縁受け３の開口側における湾曲変形の防止や、通しネジ９ｂによる野縁支持受け部６３、６３同士の振動による離間や開きの防止が図られた支持受け構造に採用されるので、直交して直接面当て配設された野縁５と野縁受け３同士、および野縁５と野縁支持受け部６３同士の振動による滑りや、ガタツキ、位置ズレを防止して直角度を維持できる機能に特化した、所謂、全体が野縁受け被嵌溝部７１を有した凹状の板材であればよく、極めて簡易な構成のものとして製作することができる。
したがって、耐震補強部材７により構築される耐震補強構造によって、更なる組付け剛性や耐震強度が高められ、野縁受け補強片６４と耐震補強部材７とによる耐震共同作用により、ねじれ方向を含む振動負荷をしっかりと受け止め、直交して直接面当て配設された野縁５と野縁受け３同士、および野縁５と野縁支持受け部６３同士の振動による滑りや離間、ガタツキ、位置ズレを確実に防止して、野縁５と野縁受け３との直交する密着状態を長期に亘って維持し、天井下地全体の耐震強度を向上させることができる。
【００３２】
また、耐震補強部材７は、野縁５の両側面に設けられ、野縁固定部７２は、野縁５の開口内に挿入された垂下部６１ｂに、近接（または接触）した位置にドリルネジ９ｃ、９ｃのそのネジ山が位置するように固定されているので、通しネジ９ｂと共同して、ドリルネジ９ｃによる野縁支持受け部６３、６３（垂下部６１ｂ、６１ｂ）同士の振動による滑りや離間開きを防止することができ、水平方向やねじれ、傾斜方向に対する耐震補強の剛性強度を高めることができる。
【符号の説明】
【００３３】
１      躯体天井部
２      吊りボルト
３      野縁受け
３ａ    リップ片
３１    野縁受けハンガー
４      振れ止め
４１    振れ止め固定金具
５      野縁
５１    野縁折曲片
６      野縁取付金具
６ａ    野縁受け開口側取付金具
６ｂ    野縁受け側面側取付金具
６１    野縁受け取付け部
６１ａ  係止部
６１ｂ  垂下部
６１ｃ  ネジ孔
６１ｄ  補強リブ
６２    立上り片
６２ａ  ボルト挿通孔
６２ｂ  ナット部
６２１  ネジ孔
６３    野縁支持受け部
６４    野縁受け補強片
７      耐震補強部材
７１    野縁受け被嵌溝部
７２    野縁固定部
７２ａ  補強リブ
７２ｂ  ネジ孔
８      天井パネル
９      締結ボルト
９ａ    ドリルネジ
９ｂ    通しネジ
９ｃ    ドリルネジ
【図１】
0006653869.tif 000002
【図２】
0006653869.tif 000003
【図３】
0006653869.tif 000004
【図４】
0006653869.tif 000005
【図５】
0006653869.tif 000006
【図６】
0006653869.tif 000007